(57)【要約】      （修正有）【課題】構造が簡単であり、片手で鉛筆を削ることができ、また、切削する際に発生する削り屑が飛散しない半自動鉛筆削り器を提供する。【解決手段】半自動鉛筆削り器は、鉛筆削り部１及びケースを具備し、鉛筆削り部が円錐状孔４３を有し、切削刃２が設けられ、ケースが、鉛筆固定体４及び鉛筆固定部に回転可能に係合された回転体を含み、鉛筆固定体がカバー体４１及びゴム固定体４２を含み、回転体が上部体５１及び下部体５２を含み、上部体内に内スペーサー及び外スペーサーよりなるスペーサーが設けられ、外スペーサーの下部に、鉛筆削り部が設置されることによる。【選択図】図１
0003120325.tif 000002
【実用新案登録請求の範囲】
【請求項１】
ケース及び該ケース内部に設置された鉛筆削り部を具備する半自動鉛筆削り器であって、
前記ケースが、鉛筆固定体及び該鉛筆固定体に回転可能に係合された回転体を含み、
前記鉛筆削り部が、円錐状孔を有し、
前記鉛筆削り部に、切削刃が設けられることを特徴とする、半自動鉛筆削り器。
【請求項２】
前記鉛筆固定体が、カバー体及びゴム固定部を含み、
前記カバー体に孔が設けられ、
前記ゴム固定部が、前記カバー体の孔内に設置され、
前記ゴム固定部に固定孔が設けられ、
前記固定孔の口径が、切削される鉛筆の外径よりも小さいことを特徴とする、請求項１に記載の半自動鉛筆削り器。
【請求項３】
前記回転体が、上部体及び下部体を含み、
前記上部体が、円柱形を形成し、
前記下部体が、半球形を形成することを特徴とする、請求項１又は２に記載の半自動鉛筆削り器。
【請求項４】
前記上部体内に、内スペーサー及び外スペーサーよりなるスペーサーが設けられ、
前記内スペーサーに、スプリングが設置され、
前記スプリングの上端が、上部体の上端の内壁にはめられ、
前記鉛筆固定体及び回転体が、前記スプリングを通じ連接され、
前記外スペーサーの下部に、前記鉛筆削り部が設置されることを特徴とする、請求項３に記載の半自動鉛筆削り器。
【請求項５】
前記下部体が、連接部及び底部を含み、
前記連接部の外側に、凸部が設けられ、
前記底部の内側に、凹部が設けられ、
前記凸部及び凹部がはめ合わされ、前記連接部及び底部が接合されることを特徴とする、請求項３又は４に記載の半自動鉛筆削り器。
【考案の詳細な説明】
【技術分野】
【０００１】
本考案は、鉛筆削り器に関し、特に半自動の鉛筆削り器に関する。
【背景技術】
【０００２】
従来の手動鉛筆削り器は、構造が比較的簡単であり、円錐状孔を有する鉛筆削り部に切削刃が設けられる。使用の際には、円錐状孔に鉛筆を挿入し、鉛筆を切削刃に密着させ鉛筆を回転させることによって、鉛筆の先端部に向かって鋭く切削することができる。しかしながら、鉛筆の切削を手動で行う必要があり、鉛筆を切削する際に削り屑が飛散しやすいといった問題があった。
【考案の開示】
【考案が解決しようとする課題】
【０００３】
本考案の目的は、構造が簡単であり、片手で鉛筆を削ることができ、また、切削する際に発生する削り屑が飛散しない半自動鉛筆削り器を提供することである。
【課題を解決するための手段】
【０００４】
本考案者らは、鋭意研究を重ねた結果、鉛筆削り器及び回転部を回転可能に係合し、鉛筆削り部を鉛筆削り器内部に設けることにより、上記課題を解決するコネクタの構造を完成した。
【０００５】
すなわち、本考案の鉛筆削り器は、以下よりなる。
１．ケース及び該ケース内部に設置された鉛筆削り部を具備する半自動鉛筆削り器であって、
前記ケースが、鉛筆固定体及び該鉛筆固定体に回転可能に係合された回転体を含み、
前記鉛筆削り部が、円錐状孔を有し、
前記鉛筆削り部に、切削刃が設けられることを特徴とする、半自動鉛筆削り器。
２．前記鉛筆固定体が、カバー体及びゴム固定部を含み、
前記カバー体に孔が設けられ、
前記ゴム固定部が、前記カバー体の孔内に設置され、
前記ゴム固定部に固定孔が設けられ、
前記固定孔の口径が、切削される鉛筆の外径よりも小さいことを特徴とする、前項１に記載の半自動鉛筆削り器。
３．前記回転体が、上部体及び下部体を含み、
前記上部体が、円柱形を形成し、
前記下部体が、半球形を形成することを特徴とする、前項１又は２に記載の半自動鉛筆削り器。
４．前記上部体内に、内スペーサー及び外スペーサーよりなるスペーサーが設けられ、
前記内スペーサーに、スプリングが設置され、
前記スプリングの上端が、上部体の上端の内壁にはめられ、
前記鉛筆固定体及び回転体が、前記スプリングを通じ連接され、
前記外スペーサーの下部に、前記鉛筆削り部が設置されることを特徴とする、前項３に記載の半自動鉛筆削り器。
５．前記下部体が、連接部及び底部を含み、
前記連接部の外側に、凸部が設けられ、
前記底部の内側に、凹部が設けられ、
前記凸部及び凹部がはめ合わされ、前記連接部及び底部が接合されることを特徴とする、前項３又は４に記載の半自動鉛筆削り器。
【考案の効果】
【０００６】
本考案の半自動鉛筆削り器によれば、鉛筆固定部と回転部が回転可能に係合され、回転部の下部体が半球形であるので、回転部及び鉛筆削り部の回転が円滑に行われ、鉛筆削作業を片手で行うことができる。また、削り屑が鉛筆削り器内に貯蔵されて飛散することがなく、切削刃が外部に露出しないので使用に際し安全であり、鉛筆削り器の構造が小さく携帯に便利となる。
【考案を実施するための最良の形態】
【０００７】
以下に、本考案の一実施形態を示し、具体的に説明するが、本考案はこれらに限定されるものではない。
【０００８】
図１〜３に示すように、本考案の半自動鉛筆削り器は、ケース及びケース内に設置された鉛筆削り部を具備する。鉛筆削り部は円錐状孔３を有し、切削刃２が取り付けられる。鉛筆削り部１は、その外側を鉛筆固定体４及び回転体５が回転可能に係合されたケースで覆われる。
【０００９】
鉛筆固定体４は、カバー体４１とゴム固定部４２とを含み、カバー体４１の一端に孔４３が設けられ、ゴム固定部４２の中央部には、切削される鉛筆の外径よりも小さな口径を有する固定孔４４が設けられる。ゴム固定部４２が孔４３内に設置され、ゴム固定部４２により鉛筆が固定される。
【００１０】
回転体５は、上部体５１及び下部体５２を含み、上部体５１は円柱形を形成し、その上部はカバー体４１内に挿入され、回転可能に係合される。上部体５１内には内スペーサー７及び外スペーサー７１よりなるスペーサーが設けられ、図２に示すように、内スペーサー７にスプリング６が設置され、スプリング６の上端が上部体５１の上端の内壁にはめられる。内スペーサー７の内壁に、カバー体４１及びゴム固定部４２がはめ込まれ、鉛筆固定体４及び回転体５がスプリング６を通じ連接される。外スペーサー７１の下部に、鉛筆削り部１が設置され、外スペーサー７１は上部体５１の内部に固定される。
【００１１】
回転体５の下部体５２は半球形を形成し、回転を円滑に行うために、摩擦係数の高いゴム製である。回転体５の下部体５２は連接部５３及びアーチ型の底部５４を含み、連接部５３の外側には凸部５５が設けられ、底部５４の内側には凹部５６が設けられ、凸部５５及び凹部５６がはめ合わされ、連接部５３及び下部体５４が接合される。
【００１２】
本考案の半自動鉛筆削り器を使用する際には、鉛筆８を鉛筆固定体４のゴム固定部４２の固定孔４４に挿入し、鉛筆８を円錐状孔３に到達させる。その後、鉛筆８を円錐状孔３に押し当てたまま、カバー体４１を上方に引き上げ、スプリング６が縮められた状態とする。その後、図３に示すように、回転体５を平面９に当て、鉛筆８を持ち、平面９に対し平行方向に回転体５を回転させる。このとき、鉛筆８、ゴム固定部４２及び内スペーサー７は回転せず、鉛筆削り部１は回転体５に対応して回転し、鉛筆削り部１に設けられた切削刃２が鉛筆を切削する。鉛筆８が削られることによって短くなり、スプリング６が復位し、カバー体４１が通常の状態に戻る。鉛筆８を削った際の、鉛筆屑は回転体５内に貯蔵される。鉛筆８の切削が不十分であれば、上記手順を繰り返してもよい。
【産業上の利用可能性】
【００１３】
本考案により、構造が簡単で、片手で鉛筆を削ることができ、また、切削する際に発生する削り屑が飛散しない半自動鉛筆削り器を製造可能となる。
【図面の簡単な説明】
【００１４】
【図１】本考案の鉛筆削り器の分解図である。
【図２】本考案の鉛筆削り器の断面図である。
【図３】本考案の使用状態を示す側面図である。
【符号の説明】
【００１５】
１    鉛筆削り部
２    切削刃
４    鉛筆固定体
４１  カバー体
４２  ゴム固定体
４３  孔
４４  固定孔
５    回転体
５１  上部体
５２  下部体
５３  連接部
５４  底部
５５  凸部
５６  凹部
８    鉛筆
９    平面
【図１】
0003120325.tif 000003
【図２】
0003120325.tif 000004
【図３】
0003120325.tif 000005